(57)【特許請求の範囲】
【請求項１】
励起光学系から眼球に可視から近赤外領域の単色化された又は単一波長の励起光ビームを照射し、眼球から発生する散乱光と蛍光の少なくとも一方を含む測定光を受光光学系で検出して眼内物質を測定する装置において、
励起光学系の光軸と受光光学系の受光軸は空間的に異なり、眼球軸を測定のための適当な方向に固定した状態で、両光軸が虹彩に当らず、かつ眼球内で交差するように配置され、
受光光学系は励起光ビームに沿って眼球内での深さの異なる位置で発生した測定光をその発生位置と対応づけられた位置に導くための、受光光学系の受光軸に平行な複数の薄板を配列したスリットアレイ、又は光ファイバを受光光学系の受光軸に平行に配置した光ファイバレンズアレイからなる空間アパーチャーである光学素子、その光学素子により導かれた測定光を検出する光検出器を備えていることを特徴とする測定装置。
【請求項２】
前記受光光学系は眼球から発生する測定光を分光する分光手段をさらに備え、前記光検出器はその分光手段により分光された測定光を検出するものである請求項１に記載の測定装置。
【請求項３】
眼球軸を固定するために、励起光学系の光源とは別の可視光を発生する眼球軸固定用の光源を備えてその光源からの光ビームを測定用眼球又は他の眼球に入射させる眼球軸固定用光学系がさらに設けられている請求項１又は２に記載の測定装置。
【請求項４】
眼球の方向を監視するモニタとして二次元固体撮像素子が測定用眼球側又は他の眼球側に設けられており、その二次元固体撮像素子により眼球の向き、励起光ビームの入射位置などの情報を取り込むことができるようにした請求項１又は２に記載の測定装置。
【請求項５】
前記受光光学系の光検出器は二次元固体撮像素子であり、その二次元固体撮像素子は眼球の方向を監視するモニタとしてとしても使用される請求項１又は２に記載の測定装置。
【請求項６】
前記励起光学系から発する光線が虹彩にかかることなく眼球内に入射し、その入射光軸は網膜近傍で眼球軸と交叉する請求項１から５のいずれかに記載の測定装置。
【請求項７】
前記入射光軸と眼球軸とのなす角度が約１５度以下である請求項６に記載の測定装置。
【請求項８】
受光光学系の受光軸が虹彩にかかることなく眼球軸と交叉し、受光軸と眼球軸とのなす角度も約１５度以下である請求項７に記載の測定装置。
【請求項９】
前記励起光学系からの励起光ビームに沿って眼球内での深さの異なる位置で発生した測定光で、前記受光光学系の受光軸に平行な成分が虹彩で遮られることなく前記光学素子に入射するように、励起光学系と受光光学系が配置されている請求項１から８のいずれかに記載の測定装置。
【請求項１０】
前記光検出器は励起光学系の光軸と受光光学系の受光軸とを含む平面内で受光光学系の受光軸と一定の角度をもつ直線に沿って複数の光電変換素子が配列された一次元又は二次元の固体撮像素子であり、その一次元又は二次元の固体撮像素子の光電変換素子の位置と眼球内での励起光ビームに沿った測定光発生位置とが前記光学素子により対応づけられている請求項１に記載の測定装置。
【請求項１１】
前記光検出器は励起光学系の光軸と受光光学系の受光軸とを含む平面内で受光光学系の受光軸と一定の角度をもつ直線に沿って複数の光電変換素子が配列された一次元又は二次元の固体撮像素子であり、前記分光手段はフーリエ変換型分光器、フィルタ、又は音響光学フィルタであり、その一次元又は二次元の固体撮像素子の光電変換素子の位置と眼球内での励起光ビームに沿った測定光発生位置とが前記光学素子により対応づけられている請求項２に記載の測定装置。
【請求項１２】
前記光検出器は二次元固体撮像素子であり、前記分光手段は回折格子であり、その二次元固体撮像素子内の一列の光電変換素子配列の光電変換素子の位置と眼球内での励起光ビームに沿った測定光発生位置とが前記光学素子により対応づけられ、各位置からの測定光がその光電変換素子配列と直交する方向に波長分散されて同時に検出される多チャンネル分光器を構成している請求項１１に記載の測定装置。
【請求項１３】
前記光検出器は二次元固体撮像素子であり、励起光学系は励起光ビームを励起光学系の光軸と受光光学系の受光軸とを含む平面と直交する方向に移動させるビーム掃引機構をさらに備えている請求項１１又は１２に記載の測定装置。
【請求項１４】
励起光学系の励起光ビームの光軸にビームスプリッタが設けられ、そのビームスプリッタにより取り出された励起光の一部が光検出器の一部の光電変換素子に入射され、その光電変換素子の出力により眼球からの測定光を受光した他の光電変換素子の出力が補正される請求項１から１３のいずれかに記載の測定装置。
【請求項１５】
励起光学系及び受光光学系を含む必要な光学系が、顔面に装着できるゴーグル状構造物内に一体的に収納されている請求項１から１４のいずれかに記載の測定装置。
【請求項１６】
前記ゴーグル状構造物内には、受光光学系により測定されたデータを含む情報を外部のデータ処理装置へ出力できる伝送回路がさらに設けられている請求項１５に記載の測定装置。
【請求項１７】
測定される眼内物質は糖類であり、
グルコースに対しては励起波長からのシフト波数にして420〜1500ｃｍ-1又は2850〜3000ｃｍ-1、好ましくは420〜450ｃｍ-1，460〜550ｃｍ-1，750〜800ｃｍ-1，850〜940ｃｍ-1，1000〜1090ｃｍ-1，1090〜1170ｃｍ-1，1200〜1300ｃｍ-1，1300〜1390ｃｍ-1，1400〜1500ｃｍ-1又は2850〜3000ｃｍ-1にあるラマン散乱ピークを用いて定量がなされ、
イノシトールに対しては励起波長からのシフト波数にして400〜1500ｃｍ-1又は2900〜3050ｃｍ-1、好ましくは400〜500ｃｍ-1，700〜900ｃｍ-1，1000〜1100ｃｍ-1，1200〜1500ｃｍ-1又は2900〜3050ｃｍ-1にあるラマン散乱ピークを用いて定量がなされ、
フルクトースに対しては励起波長からのシフト波数にして550〜1500ｃｍ-1又は2900〜3050ｃｍ-1、好ましくは550〜620ｃｍ-1，650〜700ｃｍ-1，780〜870ｃｍ-1，900〜980ｃｍ-1，1000〜1150ｃｍ-1，1200〜1300ｃｍ-1，1400〜1480ｃｍ-1又は2900〜3050ｃｍ-1にあるラマン散乱ピークを用いて定量がなされ、
ガラクトースに対しては励起波長からのシフト波数にして400〜1500ｃｍ-1又は2850〜3050ｃｍ-1、好ましくは450〜550ｃｍ-1，630〜900ｃｍ-1，1000〜1180ｃｍ-1，1200〜1290ｃｍ-1，1300〜1380ｃｍ-1，1400〜1500ｃｍ-1又は2850〜3050ｃｍ-1にあるラマン散乱ピークを用いて定量がなされ、
ソルビトールに対しては励起波長からのシフト波数にして380〜1500ｃｍ-1又は2700〜2960ｃｍ-1、好ましくは388〜488ｃｍ-1，749〜862ｃｍ-1，933〜1120ｃｍ-1，1380〜1464ｃｍ-1又は2731〜2960ｃｍ-1にあるラマン散乱ピークを用いて定量がなされる請求項１から１６のいずれかに記載の測定装置。
【請求項１８】
測定される眼内物質が脂質であり、
レシチンに対しては450〜650ｎｍの蛍光スペクトルのスペクトル強度又はその範囲内の適当な波長範囲のスペクトルの積算値を用いて定量がなされる請求項１から１６のいずれかに記載の測定装置。
【請求項１９】
測定される眼内物質がビリルビンであり、励起波長からのシフト波数にして500〜540ｃｍ-1，670〜710ｃｍ-1，900〜980ｃｍ-1，1220〜1300ｃｍ-1，1310〜1330ｃｍ-1，1400〜1500ｃｍ-1又は1550〜1670ｃｍ-1にあるラマン散乱ピークを用いて定量がなされる請求項１から１６のいずれかに記載の測定装置。
【請求項２０】
測定される眼内物質が糖化タンパクであり、
糖化アルブミンに対しては640〜850ｎｍの蛍光スペクトルのスペクトル強度又はその範囲内の適当な波長範囲のスペクトルの積算値を用いて定量がなされる請求項１から１６のいずれかに記載の測定装置。
【請求項２１】
測定される眼内物質が糖化タンパク最終産物ＡＧＥである請求項１から１６のいずれかに記載の測定装置。
【請求項２２】
測定される眼内物質が糖化クリスタリンである請求項１から１６のいずれかに記載の測定装置。
【請求項２３】
測定される眼内物質が糖類、脂質、ビリルビン、糖化タンパク、ＡＧＥ及び糖化クリスタリンからなる群に含まれる少なくとも２種類の物質であり、それらの物質に選択されたシフト波数のラマン散乱光のピーク強度もしくはピーク面積、又は螢光のスペクトル強度もしくは適当な波長範囲の積算値が用いられ、それらの複数の測定値から多変量解析によりそれぞれの物質の測定値が求められる請求項１から１６のいずれかに記載の測定装置。
【請求項２４】
測定される眼内物質は体外から注入された蛍光物質である請求項１から１６のいずれかに記載の測定装置。
【発明の詳細な説明】
【０００１】
【発明の属する技術分野】
本発明は、励起光学系から眼球に励起光ビームを照射し、眼球から発生する散乱光と蛍光の少なくとも一方を含む測定光を受光光学系で検出して眼内物質を測定する装置に関するものである。
【０００２】
【従来の技術】
眼球に励起光を照射し、眼球からの散乱光や螢光から情報を得る方法として、眼内の螢光を測定することにより blood-ocular barrier の機能を定量的に検索する検査法として、ガラス体フルオロフォトメトリ（ＶＦＰ）が行われている。糖尿病の診断やインシュリン投与の必要性の判断には血糖値を測定しなければならない。血液を採取して血糖値を測定する方法は正確ではあるが、患者に苦痛を与え、検査に手間がかかり、時間も要する。
【０００３】
そこで、眼球からの光学的な情報に基づいて眼内物質を非侵襲に測定する種々の方法も検討されている。例えば、眼球に励起光を照射し、そこから得られる情報に基づいて血糖値を測定する方法が検討されている。そのような方法の１つは、水晶体に励起光を照射し、その後方散乱光を受光して分光器やダイクロイックビームスプリッタを用いてそれを螢光とレーリ光に分離し、螢光強度をレーリ光強度で正規化した値から糖尿病を診断しうる情報を求め、それに基づいて糖尿病や白内障その他の病気の診断を行う方法である（米国特許第５,２０３,３２８号参照）。
【０００４】
他の方法では、水晶体による赤外吸収又は可視光の屈折率を測定し、それに基づいて水晶体中の血糖値を求める（特開昭５１−７５４９８号公報参照）。さらに他の方法では、角膜と水晶体の間に満たされている房水に平面偏光を照射し、その偏光軸の回転角を測定し、又は屈折率を測定することにより血糖値を求める（米国特許第３,９６３,０１９号参照）。
他の生体物質としてコレステロール値を求める方法も提案されている。そこでは、房水に励起光を照射し、そこからの散乱光強度や散乱体であるタンパク質の移動度を測定することによってコレステロール値を求める（米国特許第４,８３６,２０７号参照）。
【０００５】
眼球のガラス体、水晶体、房水、角膜など、測定する部位によって得られる情報が異なる。そのため、眼球の深さの異なる位置からの情報を得るために、受光する蛍光などの発生場所が眼球の深さ方向に沿って移動するように光学系を走査している（臨眼、38巻、11号、1195-1199(1984)参照）。
【０００６】
【発明が解決しようとする課題】
眼球の深さの異なる位置からの情報を得るために光学系を走査して測定すると、その走査の間に眼球が動くと、測定部位の深さも変わってしまい、正確な測定を行なうことができなくなってしまう。
また、光学系を走査するために光学系が複雑で大型化する問題もある。
本発明は眼球の深さの異なる複数の部位から発生する光を同時に検出できるようにして測定を容易にするとともに、光学系の走査を不要にして測定装置を小型にすることを目的とするものである。
【０００７】
【課題を解決するための手段】
本発明の測定装置は、励起光学系から眼球に可視から近赤外領域の単色化された又は単一波長の励起光ビームを照射し、眼球から発生する散乱光と蛍光の少なくとも一方を含む測定光を受光光学系で検出して眼内物質を測定する装置であり、励起光学系の光軸と受光光学系の受光軸は空間的に異なり、眼球軸を測定のための適当な方向に固定した状態、すなわち固視した状態で、両光軸が虹彩に当らず、かつ眼球内で交差するように配置され、受光光学系は励起光ビームに沿って眼球内での深さの異なる位置で発生した測定光をその発生位置と対応づけられた位置に導くための、受光光学系の受光軸に平行な複数の薄板を配列したスリットアレイ、又は光ファイバを受光光学系の受光軸に平行に配置した光ファイバレンズアレイからなる空間アパーチャーである光学素子、及びその光学素子により導かれた測定光を検出する光検出器を備えている。
【０００８】
【発明の実施の形態】
受光光学系は眼球から発生する測定光を分光する分光手段をさらに備えていることが好ましい。分光手段は、例えば測定光をその発生位置と対応づけられた位置に導く光学素子と光検出器との間に備えられ、光検出器はその分光手段により分光された測定光を検出するように配置される。分光手段が波長分散型でない場合には、上記の光学素子の光入射側に配置することもできる。
【００１０】
好ましい態様では、光検出器は励起光学系の光軸と受光光学系の受光軸とを含む平面内で受光光学系の受光軸と一定の角度をもつ直線に沿って複数の光電変換素子が配列されたＣＣＤセンサやフォトダイオードアレイなどの一次元固体撮像素子である。この場合、分光手段を設けるときは、その分光手段はフーリエ変換型分光器（ＦＴ）、フィルタ、又は音響光学フィルタ（ＡＯＴＦ）であり、その一次元固体撮像素子の光電変換素子の位置と眼球内での励起光ビームに沿った測定光発生位置とが光学素子により対応づけられている。
【００１１】
他の好ましい態様では、光検出器は複数の光電変換素子が二次元的に配列されたＣＣＤ撮像装置などの二次元固体撮像素子であり、分光手段は回折格子であり、その二次元固体撮像素子内の一列の光電変換素子配列の光電変換素子の位置と眼球内での励起光ビームに沿った測定光発生位置とが光学素子により対応づけられ、各位置からの測定光がその光電変換素子配列と直交する方向に波長分散されて同時に検出される多チャンネル分光器を構成している。
光検出器が二次元固体撮像素子である場合、励起光学系に励起光ビームを励起光学系の光軸と受光光学系の受光軸とを含む平面と直交する方向に移動させるビーム掃引機構をさらに備えることができる。この場合には眼球内での２次元情報を得ることができる。
【００１２】
励起光学系から眼球に照射される励起光ビームは、可視から近赤外領域の単色化された又は単一波長のビームであり、励起光学系の光軸に沿った平行光であることが好ましい。そのような励起光ビームを発生させる励起光学系の一例は、タングステンランプやハロゲンランプのように連続した波長の励起光を発生する白熱ランプの光源と、その光源からの光を単色化するフィルタなどの波長選択手段と、励起光を励起光学系の光軸に沿った平行光とするスリットとを備えている。
【００１３】
他の励起光学系の例は、可視から近赤外領域の単一波長の励起光を発生するレーザ装置を光源として備えたものである。レーザ装置として半導体レーザを使用した場合は、ビームが発散するので、励起光を励起光学系の光軸に沿った平行光とするためにレンズやスリットが必要となる。半導体レーザが複数の波長光を発振する場合は特定の波長光を選択する光学フィルタなどの波長選択手段が必要になる。
受光する光がラマン散乱光や螢光である場合、励起光ビームが単色光又は単一波長光である場合にはデータ処理が容易になる。励起光ビームを平行光とすれば、面積積分を行う上で好都合である。
【００１４】
励起光学系の励起光ビームの光軸にビームスプリッタが設けられ、そのビームスプリッタにより取り出された励起光の一部が光検出器の一部の光電変換素子に入射され、その光電変換素子の出力により眼球からの測定光を受光した光検出器の出力が補正されるようにすれば、励起光の変動があっても散乱光や蛍光を正確に測定することができるようになる。
【００１５】
測定時に眼球軸を特定の方向、例えば受光光学系の光軸方向又はその光軸方向と一定の角度を保つように固定するために、励起光学系の光源とは別に、可視光を発生する眼球軸固定用の光源を備えてその光源からの光ビームを眼球に入射させる眼球軸固定用光学系がさらに設けられているのが好ましい。
眼球軸固定用光学系は、眼内物質を測定しようとする眼球側に設けてもよく、眼内物質を測定しない他方の眼球側に設けてもよい。
【００１６】
眼球軸を固定しない場合には、眼球軸が測定に適した所定の方向になったときに測定を行なうことができるようになっていることが好ましい。そのために、眼球の方向を監視するモニタとしてＣＣＤ固体撮像装置などの二次元固体撮像素子を設け、その二次元固体撮像素子により眼球の向き、励起光ビームの入射位置などの情報を取り込むことができるようにしてもよい。このモニタ用二次元固体撮像素子も測定用眼球側又は他方の眼球側のいずれに設けてもよい。
【００１７】
励起光学系及び受光光学系を、顔面に装着できるゴーグル状構造物内に一体的に収納することができ、その場合には、測定を手軽に行うことができる。
そのゴーグル状構造物内には、受光光学系により測定されたデータを含む情報を外部のデータ処理装置へ出力できる伝送回路をさらに設けることができる。測定データを伝送する伝送回路は無線、有線、光パルスなど種々の手段により実現することができる。
【００１８】
測定される眼内物質の第１は糖類であり、そのうち、グルコースに対しては励起波長からのシフト波数にして420〜1500ｃｍ-1又は2850〜3000ｃｍ-1、好ましくは420〜450ｃｍ-1，460〜550ｃｍ-1，750〜800ｃｍ-1，850〜940ｃｍ-1，1000〜1090ｃｍ-1，1090〜1170ｃｍ-1，1200〜1300ｃｍ-1，1300〜1390ｃｍ-1，1400〜1500ｃｍ-1又は2850〜3000ｃｍ-1にあるラマン散乱ピークを用いて定量することができる。グルコース（ブドウ糖）は血糖ともよばれ、糖尿病の診断や病態の推移を知る上で最も重要な情報を与えるものである。
【００１９】
他の糖類についても測定することができる。例えば、イノシトールに対しては励起波長からのシフト波数にして400〜1500ｃｍ-1又は2900〜3050ｃｍ-1、好ましくは400〜500ｃｍ-1，700〜900ｃｍ-1，1000〜1100ｃｍ-1，1200〜1500ｃｍ-1又は2900〜3050ｃｍ-1にあるラマン散乱ピークを用いて定量することができる。
【００２０】
フルクトースに対しては励起波長からのシフト波数にして550〜1500ｃｍ-1又は2900〜3050ｃｍ-1、好ましくは550〜620ｃｍ-1，650〜700ｃｍ-1，780〜870ｃｍ-1，900〜980ｃｍ-1，1000〜1150ｃｍ-1，1200〜1300ｃｍ-1，1400〜1480ｃｍ-1又は2900〜3050ｃｍ-1にあるラマン散乱ピークを用いて定量することができる。
【００２１】
ガラクトースに対しては励起波長からのシフト波数にして400〜1500ｃｍ-1又は2850〜3050ｃｍ-1、好ましくは450〜550ｃｍ-1，630〜900ｃｍ-1，1000〜1180ｃｍ-1，1200〜1290ｃｍ-1，1300〜1380ｃｍ-1，1400〜1500ｃｍ-1又は2850〜3050ｃｍ-1にあるラマン散乱ピークを用いて定量することができる。
【００２２】
ソルビトールに対しては励起波長からのシフト波数にして380〜1500ｃｍ-1又は2700〜2960ｃｍ-1、好ましくは388〜488ｃｍ-1，749〜862ｃｍ-1，933〜1120ｃｍ-1，1380〜1464ｃｍ-1又は2731〜2960ｃｍ-1にあるラマン散乱ピークを用いて定量することができる。
【００２３】
測定される眼内物質の第２は脂質であり、そのうちのレシチン（ホスファチジルコリン）に対しては450〜650ｎｍの蛍光スペクトルのスペクトル強度又はその範囲内の適当な波長範囲のスペクトルの積算値を用いて定量することができる。
【００２４】
測定される眼内物質の第３はビリルビンであり、励起波長からのシフト波数にして500〜540ｃｍ-1，670〜710ｃｍ-1，900〜980ｃｍ-1，1220〜1300ｃｍ-1，1310〜1330ｃｍ-1，1400〜1500ｃｍ-1又は1550〜1670ｃｍ-1にあるラマン散乱ピークを用いて定量することができる。
【００２５】
測定される眼内物質の第４は糖化タンパクであり、そのうちの糖化アルブミンに対しては640〜850ｎｍの蛍光スペクトルのスペクトル強度又はその範囲内の適当な波長範囲のスペクトルの積算値を用いて定量することができる。
【００２６】
測定される眼内物質の第５はＡＧＥ（Advanced Glycated End Product）である。ＡＧＥについても同様に測定し、定量することができる。ＡＧＥは後期段階生成物とよばれ、アミノ酸、ペプチド、タンパク質などのアミノ基が還元糖のカルボニル基と反応する非酵素的糖化反応（グリケーション）の後期段階の生成物であり、糖尿病性慢性合併症による臓器障害と関連するものとして注目されている物質である。
測定される眼内物質の第６は糖化クリスタリンである。糖化クリスタリンについても同様に測定し、定量することができる。
【００２７】
これらの眼内物質は体内に存在している物質である。それに対し、眼球からの蛍光を測定する従来の方法では、fluorescein-Naを静脈に注射した後に行なうのが一般的である。本発明はそのような対外から注入された蛍光物質を測定する装置としても利用することができる。そこで、測定される眼内物質の第７は対外から注入された蛍光物質であり、そのような蛍光物質としてfluorescein-Naを挙げることができる。
【００２８】
測定される眼内物質が糖類、脂質、ビリルビン、糖化タンパク、ＡＧＥ、糖化クリスタリンなどからの少なくとも２種類の物質である場合には、それらの物質に選択されたシフト波数のラマン散乱光のピーク強度もしくはピーク面積、又は螢光のスペクトル強度もしくは適当な波長範囲の積算値が用いられ、それらの複数の測定値から多変量解析によりそれぞれの物質の測定値を求めることができる。
【００２９】
多変量解析演算では、主成分回帰分析法（ＰＣＲ法）や部分最小二乗法（ＰＬＳ法）などの多変量回帰分析法を用いてデータ解析を行なう。多変量回帰分析法では、一度に多くのスペクトル強度を用いて回帰分析することができるので、単回帰分析に比べて高い精度の定量分析が可能である。重回帰分析はもっとも多用されているが、多数の試料が必要であり、各波数でのスペクトル強度同士の相関が高い場合にはその定量分析精度は低くなる。一方、多変量回帰分析法であるＰＣＲ法は複数の波数域でのスペクトル強度を互いに無関係な主成分に集約させることができ、さらに不必要なノイズデータを削除することができるので、高い定量分析精度が得られる。またＰＬＳ法は主成分の抽出の際に試料濃度のデータも利用することができるので、ＰＣＲ法と同様に高い定量分析精度を得ることができる。多変量回帰分析に関しては『多変量解析』（中谷和夫著、新曜社）を参考にできる。
【００３０】
種々の変動要因により複雑に変動するスペクトルから必要な情報を引き出すには、コンピューターによるデータ処理が大いに役立つ。代表的な処理法は市販の近赤外装置等に装備されている処理用ソフトウェアにも収容されている。また市販のソフトウェアとしてＣＡＭＯ社のアンスクランバーなどがある。代表的な処理法とは上に挙げた重回帰分析やＰＬＳ法、主成分回帰分析法等である。
【００３１】
定量分析に適用するデータ処理の大きな流れは、▲１▼キャリブレーションモデルの作成、▲２▼キャリブレーションモデルの評価、▲３▼未知試料の定量である。
キャリブレーションを行なうには、適当な数の検量線作成用試料を充分な精度で測定する必要がある。得られたスペクトルは必要に応じて前処理を行なう。代表的な前処理としては、スペクトルの平滑化や微分、正規化があり、いずれも一般的な処理である。
次に、キャリブレーションは、スペクトルデータと目的特性の分析値との間の数学的関係式、すなわちモデルを構築する処理である。モデルの作成は、検量線作成用試料の分析値とスペクトルデータを用い、統計的手法によって行われる。
【００３２】
作成された検量線の未知試料に対する予測の精度を正しく評価するため、評価用試料により、未知試料に対する測定誤差が求められる。検量線の精度が不充分であると判定されたときは、必要に応じて処理法の種類やパラメーターの変更など行い、検量線の修正を行なう。
精度が充分であると認められた検量線は、未知試料の分析に際し、スペクトルデータから目的特性の値を予測する関係式として使用され、未知試料濃度の定量に用いられる。
【００３３】
【実施例】
図１は第１の実施例を概略的に表わしたものである。２は眼球を表わしており、ガラス体４の前方に水晶体６があり、最前方に角膜８がある。角膜８と水晶体６の間には透明な液の房水１０が満たされている。水晶体６と角膜８の間には虹彩１１があり、虹彩１１の中央開口部が瞳孔である。３は眼球軸を表わしている。
【００３４】
励起光学系１２はタングステンランプなどの白熱ランプを光源１４として備えており、励起光学系１２の光軸１６上には光源１４から発生する励起光を集光させるレンズ１８、励起光から狭い波長範囲を取り出して単色化する光学フィルタ２０が設けられている。光学フィルタ２０は複数枚、図の例では３枚が配置されており、所望の励起光ビーム波長に応じて切り換えることができるようになっている。光学フィルタ２０とレンズ１８の間に設けられたスリット２２と、光学フィルタ２０よりも出射側に設けられた複数枚のスリット２４によって励起光ビームを０.１〜２ｍｍの直径の細い平行ビームに調整している。
【００３５】
受光光学系３０はその受光軸３１が励起光学系の光軸１６とは空間的に異なり、受光光学系の受光軸３１と励起光学系の光軸１６とが空気中でなす角度が１４°になるように両光学系１２，３０の相対的な方向が定められている。眼球はその眼球軸３が両光学系の光軸１６，３１のなす角度を二等分する方向に固定されて測定される。その状態では、眼球軸３に対し、両光学系の光軸１６，３１は互いに反対側に位置し、光軸１６，３１と眼球軸３とのなす角θ1，θ2はともに７°である。
【００３６】
受光光学系３０は、その受光軸３１上に光検出器としてＣＣＤセンサ又はフォトダイオードアレイなどの一次元固体撮像素子３５が配置されている。一次元固体撮像素子３５は一列に配列されたＣＣＤ光電変換素子配列を備え、その光電変換素子配列の方向は、励起光学系の光軸１６と受光光学系の受光軸３１とを含む平面内で受光光学系の受光軸３１と直交する直線に沿った方向である。一次元固体撮像素子３５の光電変換素子配列のピッチは、例えば１２５μｍである。
【００３７】
一次元固体撮像素子３５の光入射側には、励起光ビーム上で眼球２の深さ位置の異なる部位から発生する測定光を光検出器３５の異なる位置の光電変換素子に入力させる光学素子として、スリット３６が配置されている。スリット３６は、受光光学系の受光軸３１に平行で励起光学系の光軸１６と受光光学系の受光軸３１とを含む平面に直交する方向の複数の薄板を、励起光学系の光軸１６と受光光学系の受光軸３１とを含む平面内の受光光学系の受光軸３１と直交する方向に配列したものである。スリット３６は、そのピッチが一次元固体撮像素子３５の光電変換素子ピッチと対応していることが好ましく、また、スリット３６の深さＤは５〜３０ｍｍである。
【００３８】
スリット３６と一次元固体撮像素子３５の間にはＦＴ、フィルタ又はＡＯＴＦなどの分光手段３７が配置されており、眼球２からの測定光を分光できるようになっている。ＦＴ、フィルタ又はＡＯＴＦなどの分光手段３７は、記号３７'で示されるようにスリット３６への測定光入射側に配置してもよい。
【００３９】
眼球軸３を所定の方向に固定するために、可視光を発生する光源と、その光源からの光を細い光束にするスリットと、そのスリットにより調整されたビームを光軸３１上に乗せて眼球２に入射させるためのハーフミラーとを備えた光学系３２が設けられている。
【００４０】
眼球の方位及び励起光ビームの入射位置を含む情報を取り込むために、受光光学系３０にはさらにモニタ用ＣＣＤ撮像装置６２が設けられており、撮像装置６２は受光光学系の光軸３１上に設けられたハーフミラーにより取り出された眼球からの光を受光する。
【００４１】
光源強度の変動を補正するために、励起光学系の光軸１６上にハーフミラー４０が配置され、励起光の一部が一次元固体撮像素子３５の一部の光電変換素子に直接入射される。その励起光ビームを受光した光電変換素子の検出信号により一次元固体撮像素子３５の他の部分の光電変換素子が受光した眼球の各部からの検出信号を割算して正規化することににより、光源強度の変動分を補正して正確な測定値を得ることができる。
【００４２】
図１の実施例の動作を説明する。励起光ビームは角膜８から入射し、房水１０、水晶体６及びガラス体４を経て網膜にいたる。励起光ビームが眼球の各部位を照射することによりそれらの各部位から発生した散乱光及び螢光の測定光は、スリット３６によって受光軸３１に平行な成分のみが分光手段３７を経て分光されて一次元固体撮像素子３５に入射する。スリット３６が設けられていることによって一次元固体撮像素子３５の光電変換素子の位置と眼球２での測定光発生位置とが対応し、どの深さ位置からの情報であるかを識別することができる。
【００４３】
光検出器として二次元固体撮像素子を用いた場合には、分光手段３７として多チャンネル分光器を用いることができる。この場合、対応スリット３６を経てその分光器に入射する１列の測定光が眼球内の位置と対応したものとなる。分光器へ入射する測定光の配列方向と直交する方向に波長分散させることにより、眼球内の複数の位置からの測定光を同時に分光しそれぞれの多波長にわたって同時に検出できるようになる。
【００４４】
図２は励起光学系の光源として半導体レーザを用いた実施例を示したものである。励起光学系１２ａの光軸１６上に光源として半導体レーザ１４ａが配置され、光軸１６上で半導体レーザ１４ａの光出射側には励起光ビームを光軸１６上の平行光とするためのレンズ１８ａと、特定の波長光を選択する光学フィルタ２０ａとが配置されている。他の構成は図１のものと同じであり、動作も図１のものと同じである。
【００４５】
図３は、測定光が発生する深さの異なる眼球の部位と光検出器の光電変換素子の位置とを対応させる光学素子として、図１のスリット３６に代えて光ファイバレンズアレイ４２を用いたものを示している。この場合には、その光ファイバのピッチも一次元固体撮像素子３５の光電変換素子ビッチに対応したものであることが好ましい。励起光ビームにより照射された眼球の各部位Ｐ1〜ＰNから発生する測定光を光ファイバレンズアレイ４２の各光ファイバレンズＦ1〜ＦNで選択して光電変換素子Ｐ1'〜ＰN'で検出する。光ファイバレンズの開口数ＮＡが小さいほど方向性が高い。
光学素子として光ファイバレンズアレイ４２を用いた場合も、光検出器として一次元固体撮像素子と二次元固体撮像素子のいずれも使用することができる。
【００４７】
二次元固体撮像素子を用い、ＦＴ、フィルタ又はＡＯＴＦなどの分光手段３７と組み合わせた場合には、一次元固体撮像素子と同じく、深さの異なる眼球の部位から発生する測定光を同時に検出できるだけでなく、二次元固体撮像素子による二次元像を監視することにより、眼球の位置を観察することができる。その場合にはモニタ用のＣＣＤ撮像装置を別途設けなくても、眼球軸が励起光学系の光軸及び受光光学系の受光軸に対して測定に適した状態になったことを確認した上で測定を行なうことができるようになる。
【００４８】
図４は測定用眼球とは異なる他方の眼球にモニタ用ＣＣＤ撮像装置を設けた例を示したものである。いま、右側の眼球２Ｒが測定側であるとし、励起光学系からの測定光１６が右側の眼球２Ｒに入射し、その眼球２Ｒからの光を検出するために、受光光学系としてレンズ４４と、分光手段を備えた受光素子３５，３７を備えたものが設けられている。
一方、左側の眼球２Ｌには、眼球軸の位置をモニタするために、その眼球２Ｌを照明する光源６０と、その光源６０により照明された眼球２Ｌの方位をモニタするモニタ用ＣＣＤ撮像装置６２が設けられている。
【００４９】
図５は、励起光学系のさらに他の例を示したものであり、励起光ビームを励起光学系の光軸と受光光学系の受光軸とを含む平面と直交する方向に移動させるビーム掃引機構を備えた例である。この例では、励起光学系の光軸と受光光学系の受光軸とを含む平面は眼球２を横方向に横切る平面であり、励起光ビーム１６をその平面と直交する方向（眼球２に縦方向の矢印で示した方向）に掃引する。励起光学系には光源７０からの励起光ビーム１６を掃引するためにポリゴンミラー７２が設けられている。ポリゴンミラー７２と眼球２との間にはレンズ７４が配置されており、ポリゴンミラー７２がそのレンズ７４の焦点位置に配置されていることにより、ポリゴンミラー７２で方向が変化するように掃引された励起光ビーム１６は、レンズ７４を通過した後は互いに平行光となって、眼球２の矢印で示された方向に掃引されながら眼球２に入射する。
【００５０】
図６は本発明をゴーグル状構造物内に一体化した実施例を表わしたものであり、（Ａ）は内部の光学系の配列を示す平面図、（Ｂ）は内部の光学系の配列を示す受光光学系側の側面図、（Ｃ）は眼球側からみた斜視図である。ゴーグル状構造物５０内には図２に示された励起光学系１２ａと受光光学系３０が配置されている。また、光源の駆動や光検出器の駆動を行い、光検出器が検出した信号を外部へ伝送する伝送回路などもゴーグル状構造物５０内に備えている。制御部５２はそのような駆動部や伝送回路を含んだものである。
【００５１】
図７から図１４により、本発明で測定しようとする眼内物質のラマン散乱スペクトル及び螢光スペクトルの例を示す。いずれも励起光は６３２.８ｎｍのＨｅ−Ｎｅレーザ光である。
図７はグルコースのラマン散乱スペクトルであり、励起波長からのシフト波数にして420〜450ｃｍ-1，460〜550ｃｍ-1，750〜800ｃｍ-1，850〜940ｃｍ-1，1000〜1090ｃｍ-1，1090〜1170ｃｍ-1，1200〜1300ｃｍ-1，1300〜1390ｃｍ-1，1400〜1500ｃｍ-1及び2850〜3000ｃｍ-1の位置にピークが存在する。それらのピークの中心波数は、438ｃｍ-1，530ｃｍ-1，776ｃｍ-1，917ｃｍ-1，1087ｃｍ-1，1103ｃｍ-1，1298ｃｍ-1，1373ｃｍ-1，1461ｃｍ-1及び2907ｃｍ-1である。
【００５２】
図８はイノシトールのラマン散乱スペクトルであり、励起波長からのシフト波数にして400〜500ｃｍ-1，700〜900ｃｍ-1，1000〜1100ｃｍ-1，1200〜1500ｃｍ-1及び2900〜3050ｃｍ-1の位置にピークが存在する。それらのピークの中心波数は、443.852ｃｍ-1，864.743ｃｍ-1，1074.37ｃｍ-1，1468.06ｃｍ-1及び2995.59ｃｍ-1である。
【００５３】
図９はフルクトースのラマン散乱スペクトルであり、励起波長からのシフト波数にして550〜620ｃｍ-1，650〜700ｃｍ-1，780〜870ｃｍ-1，900〜980ｃｍ-1，1000〜1150ｃｍ-1，1200〜1300ｃｍ-1，1400〜1480ｃｍ-1及び2900〜3050ｃｍ-1の位置にピークが存在する。それらのピークの中心波数は、599.093ｃｍ-1，688.482ｃｍ-1，802.175ｃｍ-1，963.9821ｃｍ-1，1074.37ｃｍ-1，1267.38ｃｍ-1，1468.06ｃｍ-1及び2995.59ｃｍ-1である。
【００５４】
図１０はガラクトースのラマン散乱スペクトルであり、励起波長からのシフト波数にして450〜550ｃｍ-1，630〜900ｃｍ-1，1000〜1180ｃｍ-1，1200〜1290ｃｍ-1，1300〜1380ｃｍ-1，1400〜1500ｃｍ-1及び2850〜3050ｃｍ-1の位置にピークが存在する。それらのピークの中心波数は、495.884ｃｍ-1，864.743ｃｍ-1，1062.17ｃｍ-1，1267.38ｃｍ-1，1362.38ｃｍ-1，1468.06ｃｍ-1及び2976.02ｃｍ-1である。
【００５５】
図１１はソルビトールのラマン散乱スペクトルであり、励起波長からのシフト波数にして388〜488ｃｍ-1，749〜862ｃｍ-1，933〜1120ｃｍ-1，1380〜1464ｃｍ-1及び2731〜2960ｃｍ-1の位置にピークが存在する。それらのピークの中心波数は、438ｃｍ-1，821ｃｍ-1，1414ｃｍ-1，1000ｃｍ-1付近及び2893ｃｍ-1である。
【００５６】
図１２は糖化アルブミンの蛍光スペクトルであり、640〜850ｎｍにピークをもっている。濃度が６１.１％、３３.３％、２４.８％の水溶液試料を測定したものであり、高濃度のものほどスペクトル強度が大きくなっている。
【００５７】
図１３はジタウロビリルビンのラマン散乱スペクトルであり、励起波長からのシフト波数にして500〜540ｃｍ-1，670〜710ｃｍ-1，900〜980ｃｍ-1，1220〜1300ｃｍ-1，1310〜1330ｃｍ-1，1400〜1500ｃｍ-1及び1550〜1670ｃｍ-1の位置にピークが存在する。それらのピークの中心波数は、520ｃｍ-1，688ｃｍ-1，940ｃｍ-1，1250ｃｍ-1，1320ｃｍ-1，1445ｃｍ-1及び1615ｃｍ-1である。
図１４はレシチンの蛍光スペクトルであり、450〜650ｎｍにピークをもっている。
【００５８】
【発明の効果】
本発明では励起光学系から眼球に励起光ビームを照射し、眼球の深さの異なる複数の位置から発生する散乱光と蛍光の少なくとも一方を含む測定光を受光光学系で同時に検出し、かつ眼球での深さの異なる測定光発生位置と受光光学系の光検出器での光電変換素子の位置との間を対応させたので、眼球の深さの異なる複数の位置からの情報を非侵襲に、かつ同時に得ることができる。そのため、従来のように眼球の深さ方向に走査するときのように測定中に眼球が動いて測定不能になるという不都合を解消することができる。
また光学系に走査機構が必要ではないので、光学系を小型にすることができ、図４の実施例に示されたようなゴーグル状構造物内に一体化した組み込むこともできるようになって、取扱いが容易になる。
このように、眼球の深さの異なる部位からの光学的な情報を得て各部での眼内物質を測定することが容易になり、糖尿病その他の病気の診断などに有益な情報を非侵襲に得ることができる。
【図面の簡単な説明】
【図１】  第１の実施例を示す概略平面断面図である。
【図２】  第２の実施例を示す概略平面断面図である。
【図３】  第１、第２の実施例におけるスリットに代わる光学素子を示した概略平面断面図であり、光ファイバレンズアレイを用いたものである。
【図４】  測定用眼球とは異なる他方の眼球側にモニタ用ＣＣＤ撮像装置を設けた例を示す概略斜視図である。
【図５】  ビーム掃引機構を備えた励起光学系の例を示す概略斜視図である。
【図６】  光学系をゴーグル状構造物内に一体化した実施例を表わしたものであり、（Ａ）は内部の光学系の配列を示す平面図、（Ｂ）は内部の光学系の配列を示す受光光学系側の側面図、（Ｃ）は眼球側からみた斜視図である。
【図７】  グルコースのラマン散乱スペクトルを示す図である。
【図８】  イシノトールのラマン散乱スペクトルを示す図である。
【図９】  フルクトースのラマン散乱スペクトルを示す図である。
【図１０】  ガラクトースのラマン散乱スペクトルを示す図である。
【図１１】  ソルビトースのラマン散乱スペクトルを示す図である。
【図１２】  糖化アルブミンの蛍光スペクトルを示す図である。
【図１３】  ジタウロビリルビンのラマン散乱スペクトルを示す図である。
【図１４】  レシチンの蛍光スペクトルを示す図である。
【符号の説明】
２      眼球
３      眼球軸
１２，１２ａ      励起光学系
１４，１４ａ      励起光源
１６      励起光学系の光軸
１８，１８ａ      レンズ
２０，２０ａ      光学フィルタ
２２，２４      スリット
３０      受光光学系
３５      一次元固体撮像素子
３６      スリット
３７      分光手段
４０      ハーフミラー
４２      光ファイバレンズアレイ
４４      レンズ
５０      ゴーグル状構造物
６２      モニタ用ＣＣＤ撮像装置
７２      ポリゴンミラー
【図１】
0003683059.tif 000002
【図２】
0003683059.tif 000003
【図３】
0003683059.tif 000004
【図４】
0003683059.tif 000005
【図５】
0003683059.tif 000006
【図６】
0003683059.tif 000007
【図７】
0003683059.tif 000008
【図８】
0003683059.tif 000009
【図９】
0003683059.tif 000010
【図１０】
0003683059.tif 000011
【図１１】
0003683059.tif 000012
【図１２】
0003683059.tif 000013
【図１３】
0003683059.tif 000014
【図１４】
0003683059.tif 000015